(57)【要約】【課題】自己発動式爆発ヒューズを提供する。【解決手段】保護装置（１００）を動作させるための方法、および保護装置（１００）、特に自己発動式爆発ヒューズであって、保護装置（１００）がヒューズ素子（１０４）を備え、ヒューズ素子（１０４）が、爆発によって導体区域（１１０）を遮断するように設計され、発動ユニット（１１２）が、発火電圧（ＵＺ）が所定値を超えたときに発火電圧（ＵＺ）によって爆発を発動するように設計され、保護装置（１００）が熱電素子（１１４）を有し、熱電素子（１１４）が、導体区域（１１０）の加熱に応じて発火電圧（ＵＺ）を発生させる、保護装置（１００）を動作させるための方法、および保護装置（１００）、特に自己発動式爆発ヒューズ。【選択図】図１
2018198205.tif 000002
【特許請求の範囲】
【請求項１】
ヒューズ素子（１０４）を備える保護装置（１００）であって、前記ヒューズ素子（１０４）が、爆発によって導体区域（１１０）を遮断するように設計され、発動ユニット（１１２）が、発火電圧（ＵＺ）が所定値を超えたときに前記発火電圧（ＵＺ）によって爆発を発動するように設計され、保護装置（１００）が熱電素子（１１４）を有し、前記熱電素子（１１４）が、前記導体区域（１１０）の加熱に応じて前記発火電圧（ＵＺ）を発生させることを特徴とする保護装置（１００）。
【請求項２】
前記導体区域（１１０）が、前記ヒューズ素子（１０４）および前記発動ユニット（１１２）からＤＣ分離されていることを特徴とする請求項１に記載の保護装置（１００）。
【請求項３】
前記熱電素子（１１４）が、前記導体区域の加熱に応じて第１の電圧（Ｕ１）を発生し、前記保護装置（１００）が増幅器回路（１１６）を有し、前記増幅器回路（１１６）が、前記発火電圧（ＵＺ）を発生させるために前記第１の電圧（Ｕ１）を増幅するように設計されることを特徴とする請求項１または２に記載の保護装置（１００）。
【請求項４】
前記保護装置が、前記増幅器回路（１１６）に電圧を供給するための電圧供給源（１１８）を備えることを特徴とする請求項３に記載の保護装置（１００）。
【請求項５】
前記増幅器回路（１１６）が、前記第１の電圧（Ｕ１）を増幅して第２の電圧（Ｕ２）を発生させるように設計され、前記保護装置（１００）が、前記発動ユニット（１１２）とツェナーダイオード（１２２）とから構成された直列回路を有し、前記ツェナーダイオードの両端間に前記第２の電圧（Ｕ２）が印加され、前記ツェナーダイオード（１２２）が、前記第２の電圧（Ｕ２）に対して逆向きに配置され、その結果、前記第２の電圧（Ｕ２）が所定の電圧値を超えたときにのみ、電流が前記ツェナーダイオード（１２２）を通って、したがって前記発動ユニット（１１２）を通って流れることを特徴とする請求項３または４に記載の保護装置（１００）。
【請求項６】
前記直列回路と並列接続で配置されたコンデンサ（１２０）を備えることを特徴とする請求項５に記載の保護装置（１００）。
【請求項７】
前記保護装置（１００）が並列抵抗（３０２）を備え、前記並列抵抗（３０２）が、前記直列回路および前記コンデンサ（１２０）と並列接続で配置されることを特徴とする請求項６に記載の保護装置（１００）。
【請求項８】
前記並列抵抗（３０２）が可変に設定可能であることを特徴とする請求項７に記載の保護装置（１００）。
【請求項９】
前記発動ユニット（１１２）が、第１の発動接点（２０２Ａ）に導通接続された第１の接点（１１２Ａ）を有し、前記発動ユニット（１１２）が、第２の発動接点（２０２Ｂ）に導通接続された第２の接点（１１２Ｂ）を有し、前記第１の接点（１１２Ａ）と前記第２の接点（１１２Ａ）との間に前記発火電圧（ＵＺ）が印加されることを特徴とする請求項１〜８のいずれか一項に記載の保護装置（１００）。
【請求項１０】
保護装置（１００）を動作させるための方法であって、爆発を発動するための発火電圧（ＵＺ）が所定の値を超えたときに前記爆発によって導体区域（１１０）が遮断され、熱電素子（１１４）が、前記導体区域（１１０）の加熱に応じて前記発火電圧（ＵＺ）を発生させることを特徴とする方法。
【発明の詳細な説明】
【技術分野】
【０００１】
本発明は、自己発動式爆発ヒューズに関する。
【背景技術】
【０００２】
自己発動式爆発ヒューズは、回路の短絡や過電流の発生時に回路を自動的に遮断する保護装置である。
【０００３】
回路内で故障状態、すなわち短絡または過電流が検出されたときに回路を遮断する既知の爆発ヒューズは、回路が遮断されるパイロスイッチの発火を発動するために電流測定デバイスと監視電子回路を必要とする。この場合の過電流とは、予想される電流よりも高い電流が流れている回路の状態を表す。
【０００４】
独国特許第１０１１１２５号明細書は、過電流時に回路を遮断するためのパイロスイッチを有するこの種の保護装置を開示している。
【０００５】
英国特許第２４８９１０１号明細書、米国特許出願公開第２０１６１５５５８９号明細書、および米国特許出願公開第２０１６３３６１３１号明細書はそれぞれ、回路を遮断するためにパイロスイッチが外部から作動される保護装置に関する。
【０００６】
米国特許出願公開第２０１６３５６５８７号明細書は、回路内の故障によって回路を遮断するためにパイロスイッチが発動される保護装置を開示している。
【先行技術文献】
【特許文献】
【０００７】
【特許文献１】独国特許第１０１１１２５号明細書
【特許文献２】英国特許第２４８９１０１号明細書
【特許文献３】米国特許出願公開第２０１６１５５５８９号明細書
【特許文献４】米国特許出願公開第２０１６３３６１３１号明細書
【特許文献５】米国特許出願公開第２０１６３５６５８７号明細書
【発明の概要】
【発明が解決しようとする課題】
【０００８】
外部電流測定装置および監視電子回路がなくても確実に動作する自己発動式爆発ヒューズを提供することが望ましい。
【課題を解決するための手段】
【０００９】
これは、独立請求項に記載の保護装置、および上記保護装置を動作させるための方法によって実現される。
【００１０】
この保護装置に関して、保護装置がヒューズ素子を備え、ヒューズ素子が、爆発によって導体区域を遮断するように設計され、発動ユニットが、発火電圧が所定値を超えたときに発火電圧によって爆発を発動するように設計され、保護装置が熱電素子を有し、熱電素子が、導体区域の加熱に応じて発火電圧を発生させる。
【００１１】
有利には、導体区域が、ヒューズ素子および発動ユニットからＤＣ絶縁されている。これは、故障時にヒューズ素子自体によって回路が閉じられることを防止する。
【００１２】
好ましくは、熱電素子が、導体区域の加熱に応じて第１の電圧を発生し、保護装置が増幅器回路を有し、増幅器回路が、発火電圧を発生させるために第１の電圧を増幅するように設計される。したがって、必要な発火電圧を発生させるために、自己発動式爆発ヒューズをより低い電圧変化で使用することもできる。
【００１３】
好ましくは、保護装置が、増幅器回路に電圧を供給するための電圧供給源を備える。したがって、自己発動式爆発ヒューズは自立式である。
【００１４】
好ましくは、増幅器回路が、第１の電圧を増幅して第２の電圧を発生させるように設計され、保護装置が、発動ユニットとツェナーダイオードとから構成された直列回路を有し、ツェナーダイオードの両端間に第２の電圧が印加され、ツェナーダイオードが、第２の電圧に対して逆向きに配置され、その結果、第２の電圧が所定の電圧値を超えたときにのみ、電流がツェナーダイオードを通って、したがって発動ユニットを通って流れる。これは、自己発動式爆発ヒューズのための特に好適な回路構成である。
【００１５】
有利には、保護装置が、直列回路と並列接続で配置されたコンデンサを備える。コンデンサは、バッファコンデンサとして働く。
【００１６】
有利には、保護装置が、直列回路およびコンデンサと並列接続で配置された並列抵抗を備える。並列抵抗は、自己発動が起こる電圧に関する特定の閾値を固定して定めることを可能にする。
【００１７】
好ましくは、並列抵抗が可変に設定可能である。それにより、自己発動が起こる電圧に関する閾値を簡単にパラメータ化することができる。
【００１８】
有利には、発動ユニットが、第１の発動接点に導通接続された第１の接点を有し、発動ユニットが、第２の発動接点に導通接続された第２の接点を有し、第１の接点と第２の接点との間に発火電圧が印加される。それにより、発火電圧は、既存のシステムと互換性を持つように外部から定めることもできる。
【００１９】
保護装置を動作させるための方法に関して、爆発を発動するための発火電圧が所定の値を超えたときに爆発によって導体区域が遮断され、熱電素子が、導体区域の加熱に応じて発火電圧を発生させる。
【００２０】
さらに有利な改良形態は、以下の説明および図面から明らかになる。
【図面の簡単な説明】
【００２１】
【図１】保護装置の一部を示す概略図である。
【図２】外部発動システムのための接続部を有する保護装置の一部を示す概略図である。
【図３】並列抵抗を有する保護装置の一部を示す概略図である。
【図４】外部発動システムのための接続部と、並列抵抗とを有する保護装置の一部を示す概略図である。
【発明を実施するための形態】
【００２２】
図１は、保護装置１００の一部を概略的に示す。より具体的には、図１は、自己発動型爆発ヒューズの回路図を示す。
【００２３】
保護装置１００は、爆発ヒューズ１０２を備える。爆発ヒューズ１０２は、監視すべき回路に接続するための正電源接続部１０６および負電源接続部１０８を有する爆発ヒューズ素子１０４を備える。正電源接続部１０６は、爆発ヒューズ素子１０４によって負電源接続部１０８に導通接続される。爆発ヒューズ１０２が発動される場合、爆発ヒューズ素子１０４の導体区域１１０が小さな爆発負荷によって切断され、その結果、回路が遮断される。導体区域１１０は、爆発ヒューズ１０２内の正電源接続部１０６と負電源接続部１０８との間の遮断される回路の導通接続部の一部である。
【００２４】
爆発負荷を発火させるために、発動ユニット１１２が爆発ヒューズ１０２内に配置される。発動ユニット１１２は、爆発負荷に動作可能に接続され、所定の大きさの発火電圧ＵＺが発動ユニット１１２に印加されると爆発負荷を発火させる。
【００２５】
回路内の電流がヒューズ素子１０４を通って流れると、ヒューズ素子１０４、より具体的には導体区域１１０が加熱される。保護装置１００は熱電素子１１４を備え、熱電素子１１４は、ヒューズ素子１０４が加熱されるときに熱電素子１１４も同様に加熱されるようにヒューズ素子１０４に対して配置される。熱電素子１１４は、例えばペルチェ素子であり、ゼーベック効果による熱電素子１１４の加熱に応じて、熱電素子１１４の第１の出力１１４Ａと第２の出力１１４Ｂとの間に第１の電圧Ｕ１を発生させることができる。第１の出力１１４Ａは、増幅器回路１１６の第１の入力１１６Ａに導通接続されている。増幅器回路１１６は、例えば演算増幅器である。第２の出力１１４Ｂは、増幅器回路１１６の第２の入力１１６Ｂに導通接続されている。第１の電圧Ｕ１は、増幅器回路１１６の２つの入力間にも印加され、上記増幅器回路によって増幅される。このために、増幅器回路１１６は、電圧源１１８によって、接地電位ＵＭに対する供給電圧ＵＶを供給されることが好ましい。増幅器回路１１６の出力１１６Ｃは、コンデンサ１２０によって接地電位ＵＭに接続されている。第２の電圧Ｕ２がコンデンサ１２０の両端間に印加される。第２の電圧Ｕ２は、増幅された第１の電圧Ｕ１に対応する。コンデンサ１２０は、第２の電圧Ｕ２のためのバッファコンデンサとして働く。増幅器回路１１６の出力１１６Ｃと接地電位ＵＭとの間には、コンデンサ１２０に並列に、発動ユニット１１２とツェナーダイオード１２２との直列回路が配置されている。ツェナーダイオード１２２は、第２の電圧Ｕ２に対して逆向きに配置され、すなわち、第２の電圧Ｕ２が所定の電圧値を超えるときにのみ、電流がツェナーダイオード１２２を通って、したがって発動ユニット１１２を通って流れる。ツェナーダイオード１２２の代わりに、第２の電圧Ｕ２が所定の電圧値を超えない限り発動ユニット１１２に電流を流さない別のデバイスを設けてもよい。ツェナーダイオード１２２、コンデンサ１２０、および／または発動ユニット１１２は、第２の電圧Ｕ２が所定の電圧値を超えるとき、すなわちツェナーダイオード１２２がそれとは逆向きに導通するときに発火電圧ＵＺに達するように設計されることが好ましい。その結果、発動ユニットは、増幅された第２の電圧Ｕ２が所定の電圧値を超えるような値を第１の電圧Ｕ１が超えるとすぐに爆発負荷を発火させる。
【００２６】
回路に故障が生じているとき、すなわち過電流または短絡時、ヒューズ素子１０４は、故障がない場合に比べて加熱される。熱電素子１１４でのさらなる熱によって発生した第１の電圧Ｕ１により、第２の電圧Ｕ２が所定の電圧値を超えると爆発が発動され、ヒューズ素子１０４が作動する。この例では導体区域１１０が切断される。その結果、回路が遮断される。
【００２７】
保護装置１００は、好ましくは回路の残りの部分から電気的に絶縁された閉じたハウジングを備える。正電源接続部１０６と負電源接続部１０８には、ハウジングの外部から接触することができる。
【００２８】
図２は、外部発動システム２０２のための接続部を有する保護装置２００の一部を概略的に示す。より具体的には、図２は、外部発動システム２０２のための接続部を有する自己発動式爆発ヒューズの回路図を示す。第１の発動接点２０２Ａが、発動ユニット１１２の第１の接点１１２Ａに導通接続されている。第２の発動接点２０２Ｂが、発動ユニット１１２の第２の接点１１２Ｂに導通接続されている。発動電圧ＵＡが、第１の接点１１２Ａと第２の接点１１２Ｂとの間に印加される。保護装置２００は、好ましくは閉じたハウジングを備える。第１の発動接点２０２Ａおよび第２の発動接点２０２Ｂには、ハウジングの外部から接触することができる。他の要素は自己発動型爆発ヒューズに対応し、それらの要素については図１に関連して上述した。図２でのそれらの要素には、図１で使用したのと同じ参照符号が付されている。
【００２９】
発動電圧ＵＡを外部発動システム２０２のための接続部の２つの接点に印加することにより、発動電圧ＵＡが発火電圧ＵＺに達するかまたは超えたときに爆発を発動させることができる。したがって、外部からの発動がさらに可能である。これは、保護装置を他の発動ユニットと互換性のあるものにする。
【００３０】
図３は、並列抵抗３０２を有する保護装置３００の一部を概略的に示す。より具体的には、図３は、並列抵抗３０２を有する自己発動式爆発ヒューズの回路図を示す。他の要素は自己発動型爆発ヒューズに対応し、それらの要素については図１に関連して上述した。図３でのそれらの要素には、図１で使用したのと同じ参照符号が付されている。並列抵抗３０２を適切に選択することによって、回路の他の要素に適合するように第２の電圧Ｕ２を設定することができる。したがって、並列抵抗３０２の抵抗値に応じて、様々な用途に合わせて所定の電圧値を容易に設定することができる。並列抵抗は、可変に設定できることが好ましい。並列抵抗は、例えばポテンショメータである。それにより、発動速度を設定することができる。
【００３１】
図４は、外部発動システム２０２のための接続部を有し、並列抵抗３０２も有する保護装置４００の一部を概略的に示す。より具体的には、図４は、図２に関連して説明した外部発動システム２０２のための接続部を有し、図３に関連して説明した並列抵抗３０２も有する自己発動式爆発ヒューズの回路図を示す。他の要素は自己発動型爆発ヒューズに対応し、それらの要素については図１に関連して上述した。図４でのそれらの要素には、図１で使用したのと同じ参照符号が付されている。
【００３２】
上記の各回路図では、回路は保護装置１００からＤＣ分離されている。したがって、爆発ヒューズが発動されたときに、保護装置１００を横切る電流が予期せず回路を閉じることもない。
【００３３】
保護装置１００を動作させるための方法は、発火電圧ＵＺが所定値を超えたときに導体区域１１０を遮断させ、その際、熱電素子１１４が、導体区域１１０の加熱に応じて発火電圧ＵＺを発生させる。
【符号の説明】
【００３４】
１００  保護装置
１０４  ヒューズ素子
１１０  導体区域
１１２  発動ユニット
１１４  熱電素子
ＵＺ  発火電圧
【図１】
2018198205.tif 000003
【図２】
2018198205.tif 000004
【図３】
2018198205.tif 000005
【図４】
2018198205.tif 000006
【外国語明細書】
2018198205000001.pdf